(57)【要約】      （修正有）【課題】従来タイプより小型でありながらも、諸収差が良好に補正された、５枚構成の撮像レンズ、それを備えた撮像装置及び携帯端末を提供する。【解決手段】固体撮像素子の光電変換部に被写体像を結像させるための撮像レンズであって、物体側より順に、正の屈折力を有し物体側に凸面を向けた第１レンズ、開口絞り、負の屈折力を有し像側に凹面を向けた第２レンズ、正または負の屈折力を有する第３レンズ、正の屈折力を有し像側に凸面を向けた第４レンズ、負の屈折力を有し像側に凹面を向けた第５レンズ、からなり、前記第５レンズの像側面は非球面形状であり、光軸との交点以外の位置に変曲点を有し、以下の条件式を満足する。０．５０＜ｆ１／ｆ＜０．８５・・・（１）ただし、ｆ１：前記第１レンズの焦点距離、ｆ：前記撮像レンズ全系の焦点距離【選択図】図５
2010224521.tif 000002
【特許請求の範囲】
【請求項１】
固体撮像素子の光電変換部に被写体像を結像させるための撮像レンズであって、物体側より順に、
正の屈折力を有し物体側に凸面を向けた第１レンズ、
開口絞り、
負の屈折力を有し像側に凹面を向けた第２レンズ、
正または負の屈折力を有する第３レンズ、
正の屈折力を有し像側に凸面を向けた第４レンズ、
負の屈折力を有し像側に凹面を向けた第５レンズ、
からなり、前記第５レンズの像側面は非球面形状であり、光軸との交点以外の位置に変曲点を有し、以下の条件式を満足することを特徴とする撮像レンズ。
０．  ５０＜ｆ１／ｆ＜０．８５              ・・・（１）
ただし、
ｆ１：前記第１レンズの焦点距離
ｆ：前記撮像レンズ全系の焦点距離
【請求項２】
以下の条件式を満足することを特徴とする請求項１に記載の撮像レンズ。
０．２５＜ｒ１／ｆ＜０．５０        ・・・（２）
ただし、
ｒ１：前記第１レンズ物体側面の曲率半径
【請求項３】
以下の条件式を満足することを特徴とする請求項１または２に記載の撮像レンズ。
０．７０＜ｒ４／ｒ１＜２．５０              ・・・（３）
ただし、
ｒ４：前記第２レンズ像側面の曲率半径
ｒ１：前記第１レンズ物体側面の曲率半径
【請求項４】
前記第２レンズの像側面は非球面形状を有し、光軸から周辺側に離れるに従って負の屈折力が弱くなる形状を持つことを特徴とする請求項１〜３のいずれか１項に記載の撮像レンズ。
【請求項５】
以下の条件式を満足することを特徴とする請求項１〜４のいずれか１項に記載の撮像レンズ。
１５＜ν２＜３１                    ・・・（４）
ただし、
ν２：前記第２レンズのアッベ数
【請求項６】
以下の条件式を満足することを特徴とする請求項１〜５のいずれか１項に記載の撮像レンズ。
１．６０＜ｎ２＜２．１０            ・・・（５）
ただし、
ｎ２：前記第２レンズの屈折率
【請求項７】
前記第３レンズは正の屈折力を有することを特徴とする請求項１〜６のいずれか１項に記載の撮像レンズ。
【請求項８】
前記第３レンズは像側に凸面を向けたメニスカス形状であることを特徴とする請求項１〜７のいずれか１項に記載の撮像レンズ。
【請求項９】
以下の条件式を満足することを特徴とする請求項１〜８のいずれか１項に記載の撮像レンズ。
１５＜ν３＜３１                    ・・・（６）
ただし、
ν３：前記第３レンズのアッベ数
【請求項１０】
前記第４レンズは像側に凸面を向けたメニスカス形状であることを特徴とする請求項１〜９のいずれか１項に記載の撮像レンズ。
【請求項１１】
前記第４レンズの像側面は非球面形状を有し、光軸から周辺側に離れるに従って正の屈折力が弱くなる形状を持つことを特徴とする請求項1〜１０のいずれか１項に記載の撮像レンズ。
【請求項１２】
前記撮像レンズは、焦点位置合わせを、前記第１レンズから前記第３レンズまでを移動させて行い、以下の条件式を満足することを特徴とする請求項１〜１１のいずれか１項に記載の撮像レンズ。
０．０５＜ｄ６／ｆ＜０．２０        ・・・（７）
ただし、
ｄ６：前記第３レンズと前記第４レンズの軸上の空気間隔
【請求項１３】
以下の条件式を満足することを特徴とする請求項１２に記載の撮像レンズ。
０．７＜ｆ１２３／ｆ＜１．４・・・（８）
ただし、
ｆ１２３：第１レンズから第３レンズまでの合成焦点距離
ｆ：撮像レンズ全系の焦点距離
【請求項１４】
前記撮像レンズは全てプラスチック材料で形成されていることを特徴とする請求項１〜１３のいずれか１項に記載の撮像レンズ。
【請求項１５】
被写体像を光電変換する固体撮像素子と、請求項１〜１４のいずれか１項に記載の撮像レンズを備えたことを特徴とする撮像装置。
【請求項１６】
請求項１５に記載の撮像装置を備えたことを特徴とする携帯端末。
【発明の詳細な説明】
【技術分野】
【０００１】
本発明は、ＣＣＤ型イメージセンサあるいはＣＭＯＳ型イメージセンサ等の固体撮像素子を用いた小型の撮像装置に好適な撮像レンズ、撮像装置およびこれを備える携帯端末に関する。
【背景技術】
【０００２】
近年、ＣＣＤ(Charged Coupled Device)型イメージセンサあるいはＣＭＯＳ(Complementary Metal Oxide Semiconductor)型イメージセンサ等の固体撮像素子を用いた撮像装置の高性能化、小型化に伴い、撮像装置を備えた携帯電話や携帯情報端末が普及しつつある。また、これらの撮像装置に搭載される撮像レンズには、さらなる小型化、高性能化への要求が高まっている。
【０００３】
このような用途の撮像レンズとしては、３枚あるいは４枚構成のレンズに比べ高性能化が可能であると言うことで、５枚構成の撮像レンズが提案されている。このような５枚構成の撮像レンズの例として、例えば特許文献１に、物体側より順に正の屈折力を有する第１レンズ、負の屈折力を有する第２レンズ、正の屈折力を有する第３レンズ、負の屈折力を有する第４レンズ、負の屈折力を有する第５レンズで構成された撮像レンズが開示されている。
【０００４】
また、例えば特許文献２に、物体側より順に負の屈折力を有する第１レンズ、正の屈折力を有する第２レンズ、負の屈折力を有する第３レンズ、正の屈折力を有する第４レンズ、負の屈折力を有する第５レンズで構成された撮像レンズが開示されている。
【先行技術文献】
【特許文献】
【０００５】
【特許文献１】特開2007-264180号公報
【特許文献２】特開2007-279282号公報
【発明の概要】
【発明が解決しようとする課題】
【０００６】
しかしながら、上記特許文献１に記載の撮像レンズは、第１レンズから第３レンズで全系の屈折力のほとんどを担っており、第４レンズ、第５レンズは屈折力の弱い像面補正レンズとしての効果しかなく、したがって収差補正が不十分で、さらにレンズ全長を短縮化すると、性能の劣化による撮像素子の高画素化に対応が困難となる問題がある。
【０００７】
また、上記特許文献２に記載の撮像レンズは、第１レンズと第２レンズで構成される前群が球面系で構成されているため、球面収差やコマ収差の補正が不十分で良好な性能を確保できない。また、前群および第３レンズ以降の後群とも正の屈折力を有する構成のため、後群が負の屈折力を有するテレフォトタイプのような構成に比べ、光学系の主点位置が像側になりバックフォーカスが長くなるため、小型化には不利なタイプである。
【０００８】
本発明は、このような問題点に鑑みてなされたものであり、従来タイプより小型でありながらも、諸収差が良好に補正された、５枚構成の撮像レンズを提供することを目的とする。
【０００９】
ここで、小型の撮像レンズの尺度であるが、本発明では下式を満たすレベルの小型化を目指している。この範囲を満たすことで、撮像装置全体の小型軽量化が可能となる。
Ｌ／２Ｙ＜１．００                  ・・・（９）
ただし、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）
【００１０】
ここで、像側焦点とは撮像レンズに光軸と平行な平行光線が入射した場合の像点をいう。なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。また、より望ましくは下式の範囲が良い。
Ｌ／２Ｙ＜０．９０                  ・・・（９）
【課題を解決するための手段】
【００１１】
請求項１に記載の撮像レンズは、固体撮像素子の光電変換部に被写体像を結像させるための撮像レンズであって、物体側より順に、
正の屈折力を有し物体側に凸面を向けた第１レンズ、
開口絞り、
負の屈折力を有し像側に凹面を向けた第２レンズ、
正または負の屈折力を有する第３レンズ、
正の屈折力を有し像側に凸面を向けた第４レンズ、
負の屈折力を有し像側に凹面を向けた第５レンズ、
からなり、前記第５レンズの像側面は非球面形状であり、光軸との交点以外の位置に変曲点を有し、以下の条件式を満足することを特徴とする。
０．  ５０＜ｆ１／ｆ＜０．８５              ・・・（１）
ただし、
ｆ１：前記第１レンズの焦点距離
ｆ：前記撮像レンズ全系の焦点距離
【００１２】
小型で収差の良好に補正された撮像レンズを得るための、本発明の基本構成は、正の屈折力を有し物体側に凸面を向けた第１レンズ、開口絞り、負の屈折力を有し像側に凹面を向けた第２レンズ、正または負の屈折力を有する第３レンズ、正の屈折力を有し像側に凸面を向けた第４レンズ、負の屈折力を有し像側に凹面を向けた第５レンズ、からなる。物体側より順に、第１レンズ、第２レンズ、第３レンズ、第４レンズからなる正レンズ群と、負の第５レンズを配置する、いわゆるテレフォトタイプのこのレンズ構成は、撮像レンズ全長の小型化には有利な構成である。
【００１３】
さらに、５枚構成のうち２枚以上を負レンズとすることで、発散作用を有する面を多くしてペッツバール和の補正を容易とし、画面周辺部まで良好な結像性能を確保した撮像レンズを得ることが可能となる。
【００１４】
また、最も像側に配置された第５レンズの像側面を非球面とすることで、画面周辺部での諸収差を良好に補正することができる。さらに、光軸との交点以外の位置に変曲点を有する非球面形状とすることで、像側光束のテレセントリック特性が確保しやすくなる。
【００１５】
ここで、「変曲点」とは有効半径内でのレンズ断面形状の曲線において、非球面頂点の接平面が光軸と垂直な平面となるような非球面上の点のことである。
【００１６】
条件式（１）は前記第１レンズの焦点距離を適切に設定し撮像レンズ全長の短縮化と収差補正を適切に達成するための条件式である。条件式（１）の値が上限を下回ることで、第１レンズの屈折力を適度に維持することができ、第１レンズから第４レンズの合成主点をより物体側へ配置することができ、撮像レンズ全長を短くすることができる。一方、下限を上回ることで、第１レンズの屈折力が必要以上に大きくなりすぎず、第１レンズで発生する、高次の球面収差やコマ収差を小さく抑えることができる。また、より望ましくは下式の範囲がよい。
０．５２＜ｆ１／ｆ＜０．８０        ・・・（１）
【００１７】
さらに、条件式（１）の範囲で第１レンズの焦点距離を規定した上で、第１レンズの物体側面の曲率半径を小さくして屈折力を強く設定することで、全系の合成主点位置をより物体側へ配置することができ、撮像レンズ全長を短くすることが可能となる。しかし、第１レンズよりも物体側に開口絞りが配置されていると、第１レンズ物体側面を通過する周辺マージナル光線が過度に屈折させられるため、周辺部でのコマ収差や倍率色収差が大きく発生してしまう。そこで、第１レンズと第２レンズの間に開口絞りを配置することで、第１レンズ物体側面の曲率半径を小さくしても、第１レンズ物体側面を通過する周辺マージナル光線の屈折角が大きくなりすぎず、撮像レンズの小型化と良好な収差補正を両立することができる。
【００１８】
請求項２に記載の撮像レンズは、請求項１に記載の発明において、以下の条件式を満足することを特徴とする。
０．２５＜ｒ１／ｆ＜０．５０        ・・・（２）
ただし、
ｒ１：前記第１レンズ物体側面の曲率半径
【００１９】
前述の通り、第１レンズ物体側面の曲率半径は撮像レンズの小型化と収差補正を両立する上で重要なファクターであるが、より詳細には条件式（２）を満足することが望ましい。条件式（２）は第１レンズ物体側面の曲率半径を適切に設定し撮像レンズ全長の短縮化と収差補正を適切に達成するための条件式である。条件式（２）の値が上限を下回ることで、第１レンズ物体側面の屈折力を適度に維持することができ、第１レンズと第２レンズの合成主点をより物体側へ配置することができ、撮像レンズ全長を短くすることができる。一方、下限を上回ることで、第１レンズ物体側面の屈折力が必要以上に大きくなりすぎず、第１レンズで発生する、高次の球面収差やコマ収差を小さく抑えることができる。また、より望ましくは下式の範囲がよい。
０．２８＜ｒ１／ｆ＜０．４７        ・・・（２）
【００２０】
請求項３に記載の撮像レンズは、請求項１又は２に記載の発明において、以下の条件式を満足することを特徴とする。
０．７０＜ｒ４／ｒ１＜２．５０              ・・・（３）
ただし、
ｒ４：前記第２レンズ像側面の曲率半径
ｒ１：前記第１レンズ物体側面の曲率半径
【００２１】
条件式（３）は第１レンズ物体側面の曲率半径と第２レンズ像側面の曲率半径の比を適切に設定し、軸外の諸収差を良好に補正するための条件式である。条件式（３）の値が上限を下回ることで、第１レンズ物体側面の曲率半径に対して第２レンズ像側面の曲率半径を適度に小さくすることができ、第１レンズ物体側面で発生した軸外光線のコマ収差、色収差、歪曲収差を第２レンズ像側面の発散作用で良好に補正することができる。一方、下限を上回ることで、第２レンズ像側面の曲率半径が必要以上に小さくなりすぎず、第１レンズ物体側面で発生した軸外諸収差の過補正を防ぎ、周辺部でのテレセントリック特性を良好にすることができる。
なお、より望ましくは下式の範囲がよい。
０．８＜ｒ４／ｒ１＜２．３            ・・・（３）
【００２２】
請求項４に記載の撮像レンズは、請求項１〜３のいずれかに記載の発明において、前記第２レンズの像側面は非球面形状を有し、光軸から周辺側に離れるに従って負の屈折力が弱くなる形状を持つことを特徴とする。
【００２３】
第２レンズの像側面を、中心から周辺に行くに従って第２レンズの像側面の負の屈折力が弱くなるような非球面形状とすることで、周辺部で光線が過度に跳ね上げられることがなくなり、軸外諸収差を良好に補正した上で、周辺部での良好なテレセントリック特性を確保できる。
【００２４】
請求項５に記載の撮像レンズは、請求項１〜４のいずれかに記載の発明において、以下の条件式を満足することを特徴とする。
１５＜ν２＜３１                    ・・・（４）
ただし、
ν２：前記第２レンズのアッベ数
【００２５】
条件式（４）は第２レンズのアッベ数を適切に設定するための条件式である。条件式（４）の上限を下回ることで、第２レンズの分散を適度に大きくすることができ、第２レンズの屈折力を抑えつつ軸上色収差や倍率色収差などの色収差を良好に補正することができる。一方、下限を上回ることで、入手しやすい材料で構成することができる。また、より望ましくは下式の範囲がよい。
１５＜ν２＜２７                    ・・・（４）
【００２６】
請求項６に記載の撮像レンズは、請求項１〜５のいずれかに記載の発明において、以下の条件式を満足することを特徴とする。
１．６０＜ｎ２＜２．１０            ・・・（５）
ただし、
ｎ２：前記第２レンズの屈折率
【００２７】
条件式（５）は、撮像レンズ全系の色収差、像面湾曲を良好に補正するための条件式である。条件式（５）の下限を上回ることで、比較的分散の大きな第２レンズの屈折力を適度に維持することができ、色収差、像面湾曲を良好に補正することができる。一方、上限を下回ることで、入手しやすい材料で構成することができる。また、より望ましくは下式の範囲がよい。
１．６０＜ｎ２＜２．００            ・・・（５）
【００２８】
請求項７に記載の撮像レンズは、請求項１〜６のいずれかに記載の発明において、前記第３レンズは正の屈折力を有することを特徴とする。
【００２９】
第３レンズを正の屈折力とすることで、正の屈折力を有する第１レンズ、負の屈折力を有する第２レンズ、正の屈折力を有する第３レンズとなり、所謂トリプレットタイプのレンズ構成となるので、第１レンズから第３レンズまでで良好な収差補正を行うことができる。
【００３０】
請求項８に記載の撮像レンズは、請求項１〜７のいずれかに記載の発明において、前記第３レンズは像側に凸面を向けたメニスカス形状であることを特徴とする。
【００３１】
第３レンズを像側に凸面を向けたメニスカス形状とすることで、第２レンズで強く跳ね上げられた軸外光線を第３レンズ各面での屈折角を小さく抑えながら第４レンズに導くことができ、第３レンズでの軸外諸収差の発生を抑えることができる。
【００３２】
請求項９に記載の撮像レンズは、請求項１〜８のいずれかに記載の発明において、以下の条件式を満足することを特徴とする。
１５＜ν３＜３１                    ・・・（６）
ただし、
ν３：前記第３レンズのアッベ数
【００３３】
条件式（６）は第３レンズのアッベ数を適切に設定し、軸上と軸外の色収差を良好に補正するための条件式である。負の第２レンズに比較的分散の大きな材料を使用することにより、軸上色収差を良好に補正することができる反面、第２レンズの像側面が強い発散面であるため、周辺の光線が大きく跳ね上げられ、周辺での倍率色収差が大きくなってしまう。そのため、第３レンズにも比較的分散の大きな材料を使用することで、第２レンズで発生した周辺の倍率色収差を第３レンズで補正することが可能となる。また、第３レンズは比較的屈折力が弱いレンズであるため、比較的分散の大きな材料を使用しても軸上の色収差が過補正になることなく軸外の色収差を良好に補正することが可能である。
【００３４】
ここで、条件式（６）の値が下限を下回ってしまうと、第２レンズで発生した倍率色収差を第３レンズで補正しきれず、結果的に倍率色収差が大きくなってしまう。一方、上限を上回ることで、倍率色収差は小さく抑えることができるが、軸上色収差が補正不十分となってしまう。これに対し、条件式（６）を満たすことで、かかる不具合を解消できることとなる。より望ましくは下式の範囲がよい。
１５＜ν３＜２７                    ・・・（６）
【００３５】
請求項１０に記載の撮像レンズは、請求項１〜９のいずれかに記載の発明において、前記第４レンズは像側に凸面を向けたメニスカス形状であることを特徴とする。
【００３６】
第４レンズを像側に凸面を向けたメニスカス形状とすることで、前述の第３レンズの面形状と合わせて、第２レンズで強く跳ね上げられた軸外光線を、各面での屈折角を小さく抑えながら第５レンズに導くことができ、軸外収差を良好に補正することができる。
【００３７】
請求項１１に記載の撮像レンズは、請求項１〜１０のいずれかに記載の発明において、前記第４レンズの像側面は非球面形状を有し、光軸から周辺側に離れるに従って正の屈折力が弱くなる形状を持つことを特徴とする。
【００３８】
第４レンズの物体側面を中心から周辺に行くに従って負の屈折力が弱くなるような非球面形状とすることで、周辺部での良好なテレセントリック特性を確保できる。また、第２レンズの像側面は、レンズ周辺部で過度に負の屈折力を弱くする必要がなくなり、軸外収差を良好に補正することが可能となる。
【００３９】
請求項１２に記載の撮像レンズは、請求項１〜１１のいずれかに記載の発明において、前記撮像レンズは、焦点位置合わせを、前記第１レンズから前記第３レンズまでを移動させて行い、以下の条件式を満足することを特徴とする。
０．０５＜ｄ６／ｆ＜０．２０        ・・・（７）
ただし、
ｄ６：前記第３レンズと前記第４レンズの軸上の空気間隔
【００４０】
撮像装置において、オートフォーカスやマクロ切り替え機能等で焦点位置合わせをしようとした場合、通常はレンズ群全体を光軸方向に移動させて行う全体繰り出しが一般的であるが、レンズ群の一部分、例えば第１レンズから第３レンズまでを光軸方向に移動させて焦点位置合わせを行う部分群繰り出しも可能である。部分群繰り出しにすると、光学系によっては、近距離への焦点位置合わせ時の性能劣化を低減することができ、移動群がレンズ全体ではなく一部分でよいため、駆動機構を簡略化でき、撮像装置全体の小型軽量化を達成することができる、といったメリットが得られる。
【００４１】
また、この部分群繰り出しを行う際に、第３レンズと第４レンズの光軸上の空気間隔を条件式（７）を満足するように設定することが望ましい。条件式（７）の値が下限を上回ることで、第１レンズから第３レンズでの部分群繰り出し時のストロークを十分に確保することができる。また、第４レンズの周辺の正の屈折力を適度に維持することができ、倍率色収差を良好に補正することができ、周辺部でのテレセントリック特性を確保しやすくなる。一方、上限を下回ることで、第３レンズと第４レンズの光軸上の空気間隔が必要以上に大きくなりすぎず、撮像レンズ全長を短くすることができる。なお、より望ましくは下式の範囲がよい。
０．０５＜ｄ６／ｆ＜０．１８        ・・・（７）
【００４２】
請求項１３に記載の撮像レンズは、請求項１２に記載の発明において、以下の条件式を満足することを特徴とする。
０．７＜ｆ１２３／ｆ＜１．４・・・（８）
ただし、
ｆ１２３：第１レンズから第３レンズまでの合成焦点距離
ｆ：撮像レンズ全系の焦点距離
【００４３】
条件式（８）は、第１レンズから第３レンズまでを光軸方向に移動させて焦点位置合わせを行う部分群繰り出しを行う際に、第１レンズから第３レンズまでの合成焦点距離を適切に設定するための条件式である。条件式（８）の値が上限を下回ることで、第１レンズから第３レンズまでの合成の屈折力を適度に維持することができ、焦点位置合わせ時の繰り出し量を少なくすることができる。一方、下限を上回ることで、第１レンズから第３レンズまでの合成の屈折力が強くなりすぎず、焦点位置合わせ時の収差変動を小さく抑えることができる。なお、より望ましくは下式の範囲がよい。
０．８＜ｆ１２３／ｆ＜１．３・・・（８）'
【００４４】
請求項１４に記載の撮像レンズは、請求項１〜１３のいずれかに記載の発明において、全てプラスチック材料で形成されていることを特徴とする。
【００４５】
近年では、固体撮像装置全体の小型化を目的とし、同じ画素数の固体撮像素子であっても、画素ピッチが小さく、結果として撮像面サイズの小さいものが開発されている。このような撮像面サイズの小さい固体撮像素子向けの撮像レンズは、全系の焦点距離を比較的に短くする必要があるため、各レンズの曲率半径や外径がかなり小さくなってしまう。従って、手間のかかる研磨加工により製造するガラスレンズと比較すれば、全てのレンズを、射出成形により製造されるプラスチックレンズで構成することにより、曲率半径や外径の小さなレンズであっても安価に大量生産が可能となる。また、プラスチックレンズはプレス温度を低くできることから、成形金型の損耗を抑える事ができ、その結果、成形金型の交換回数やメンテナンス回数を減少させ、コスト低減を図ることができる。
【００４６】
請求項１５に記載の撮像装置は、被写体像を光電変換する固体撮像素子と、請求項１〜１４のいずれか１項に記載の撮像レンズを備えたことを特徴とする。本発明の撮像レンズを用いることで、より小型かつ高性能な撮像装置を得ることができる。
【００４７】
請求項１６に記載の携帯端末は、請求項１５に記載の撮像装置を備えたことを特徴とする。本発明の撮像装置を用いることで、より小型かつ高性能な携帯端末を得ることができる。
【発明の効果】
【００４８】
本発明によれば、従来タイプより小型でありながらも、諸収差が良好に補正された、５枚構成の撮像レンズ、それを備えた撮像装置及び携帯端末を提供することができる。
【図面の簡単な説明】
【００４９】
【図１】本実施の形態にかかる撮像ユニット５０の斜視図である。
【図２】撮像ユニット５０の撮像光学系の光軸に沿った断面を模式的に示した図である。
【図３】撮像ユニットを適用した携帯電話の正面図（ａ）、及び撮像ユニットを適用した携帯電話の背面図（ｂ）である。
【図４】図３の携帯電話機の制御ブロック図である。
【図５】実施例１の撮像レンズの光軸方向断面図である。
【図６】実施例１の収差図（球面収差（ａ）、非点収差（ｂ）、歪曲収差（ｃ）、メリディオナルコマ収差（ｄ））である。
【図７】実施例２の撮像レンズの光軸方向断面図である。
【図８】実施例２の収差図（球面収差（ａ）、非点収差（ｂ）、歪曲収差（ｃ）、メリディオナルコマ収差（ｄ））である。
【図９】実施例３の撮像レンズの光軸方向断面図である。
【図１０】実施例３の収差図（球面収差（ａ）、非点収差（ｂ）、歪曲収差（ｃ）、メリディオナルコマ収差（ｄ））である。
【図１１】実施例４の撮像レンズの光軸方向断面図である。
【図１２】実施例４の収差図（球面収差（ａ）、非点収差（ｂ）、歪曲収差（ｃ）、メリディオナルコマ収差（ｄ））である。
【図１３】実施例５の撮像レンズの光軸方向断面図である。
【図１４】実施例５の収差図（球面収差（ａ）、非点収差（ｂ）、歪曲収差（ｃ）、メリディオナルコマ収差（ｄ））である。
【図１５】実施例６の撮像レンズの光軸方向断面図である。
【図１６】実施例６の収差図（球面収差（ａ）、非点収差（ｂ）、歪曲収差（ｃ）、メリディオナルコマ収差（ｄ））である。
【図１７】実施例７の撮像レンズの光軸方向断面図である。
【図１８】実施例７の収差図（球面収差（ａ）、非点収差（ｂ）、歪曲収差（ｃ）、メリディオナルコマ収差（ｄ））である。
【図１９】実施例８の撮像レンズの光軸方向断面図である。
【図２０】実施例８の収差図（球面収差（ａ）、非点収差（ｂ）、歪曲収差（ｃ）、メリディオナルコマ収差（ｄ））である。
【図２１】実施例９の撮像レンズの光軸方向断面図である。
【図２２】実施例９の収差図（球面収差（ａ）、非点収差（ｂ）、歪曲収差（ｃ）、メリディオナルコマ収差（ｄ））である。
【図２３】実施例１０の撮像レンズの光軸方向断面図である。
【図２４】実施例１０の収差図（球面収差（ａ）、非点収差（ｂ）、歪曲収差（ｃ）、メリディオナルコマ収差（ｄ））である。
【図２５】実施例１１の撮像レンズの光軸方向断面図である。
【図２６】実施例１１の収差図（球面収差（ａ）、非点収差（ｂ）、歪曲収差（ｃ）、メリディオナルコマ収差（ｄ））である。
【発明を実施するための形態】
【００５０】
以下、本発明の実施の形態を、図面を参照して説明する。図１は、本実施の形態にかかる撮像ユニット５０の斜視図であり、図２は、撮像ユニット５０の撮像光学系の光軸に沿った断面を模式的に示した図である。
【００５１】
図１に示すように、撮像ユニット５０は、光電変換部５１ａを有する固体撮像素子としてのＣＭＯＳ型撮像素子５１と、この撮像素子５１の光電変換部５１ａに被写体像を撮像させる撮像レンズ１０と、撮像素子５１を保持すると共にその電気信号の送受を行う外部接続用端子（外部接続端子ともいう）５４（図１参照）を有する基板５２と、物体側からの光入射用の開口部を有し遮光部材からなる鏡筒としての筐体５３とを備え、これらが一体的に形成されている。
【００５２】
図２に示すように、撮像素子５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の平面の外縁近傍には、多数のパッド（図示略）が配置されており、ワイヤＷを介して基板５２に接続されている。撮像素子５１は、光電変換部５１ａからの信号電荷をデジタルＹＵＶ信号等の画像信号等に変換し、ワイヤＷを介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００５３】
基板５２は、その上面上で撮像素子５１及び筐体５３を支持する支持平板５２ａと、支持平板５２ａの下面（撮像素子５１と反対側の面）にその一端部が接続されたフレキシブル基板５２ｂとを備えている。
【００５４】
図示していないが、支持平板５２ａは多数の信号伝達用パッドを有しており、不図示の配線を介して撮像素子５１と接続されている。
【００５５】
図１において、フレキシブル基板５２ｂは、上記の如くその一端部が支持平板５２ａと接続され、その他端部に設けられた外部接続端子５４を介して支持平板５２ａと外部回路（例えば、撮像ユニットを実装した上位装置が有する制御回路）とを接続し、外部回路から撮像素子５１を駆動するための電圧やクロック信号の供給を受けたり、また、デジタルＹＵＶ信号を外部回路ヘ出力したりすることを可能とする。さらに、フレキシブル基板５２ｂの長手方向の中間部が可撓性又は変形性を備え、その変形により、支持平板５２ａに対して外部接続端子５４の向きや配置に自由度を与えている。
【００５６】
図２において、筐体５３は、基板５２の支持平板５２ａにおける撮像素子５１が設けられた面上に、撮像素子５１を覆うようにして固定配置されている。即ち、筐体５３は、撮像素子５１側の部分が撮像素子５１を囲むように広く開口されると共に、他端部（物体側端部）が小開口を有するフランジ部５３ａを形成しており、支持平板５２ａ上に撮像素子５１側の端部（像側端部）が当接固定されている。なお、筐体５３の撮像素子５１側の端部が、撮像素子５１上における光電変換部５１ａの周囲に当接固定されていても良い。
【００５７】
小開口（光入射用の開口部）が設けられたフランジ部５３ａを物体側に向けて配置された筐体５３の内部において、撮像レンズ１０と撮像素子５１との間に、ＩＲ（赤外線）カットフィルタＦが固定配置されている。
【００５８】
撮像レンズ１０は、物体側より順に、正の屈折力を有し物体側に凸面を向けた第１レンズＬ１と、開口絞りＳと、負の屈折力を有し像側に凹面を向けた第２レンズＬ２と、正または負の屈折力を有する第３レンズＬ３と、正の屈折力を有し像側に凸面を向けた第４レンズＬ４と、負の屈折力を有し像側に凹面を向けた第５レンズＬ５とからなり、第５レンズＬ５の像側面は非球面形状であり、光軸との交点以外の位置に変曲点を有し、以下の条件式を満足する。
１．５０＜ｆ１／ｆ＜０．８５              ・・・（１）
ただし、
ｆ１：第１レンズＬ１の焦点距離
ｆ：撮像レンズ全系の焦点距離
レンズＬ１〜Ｌ５は全てプラスチック製であると好ましい。なお、図１、２では上側を物体側、下側を像側としている。
【００５９】
又、撮像レンズ１０は、オートフォーカスやマクロ切り替え機能等での焦点位置合わせを、第１レンズＬ１から第３レンズＬ３までを移動させて行い、以下の条件式を満足する。
０．０５＜ｄ６／ｆ＜０．２０        ・・・（７）
ただし、
ｄ６：第３レンズＬ３と第４レンズＬ４の軸上の空気間隔
【００６０】
図示は省略するが、第１レンズＬ１よりもさらに物体側に、外部からの不要光の入射をできるだけ少なくするための外部遮光マスクが設けられていても良い。又、開口絞りＳは、撮像レンズ全系のＦナンバーを決定する部材である。
【００６１】
レンズＬ１、Ｌ２間には、中央開口が絞りを形成する薄い絞り部材５５が配置され、またレンズＬ２〜Ｌ５とＩＲカットフィルタＦの間には、隣接するレンズのフランジ部同士の間にスペーサＳＰ１〜ＳＰ４が配置され、これにより所定の間隔で配置されている。ＩＲカットフィルタＦは、例えば、略矩形状や円形状に形成された部材である。
【００６２】
上述した撮像ユニット５０の動作について説明する。図３は、撮像ユニット５０を携帯端末或いは撮像ユニットとしての携帯電話機１００に装備した状態を示す。また、図４は携帯電話機１００の制御ブロック図である。
【００６３】
撮像ユニット５０は、例えば、筐体５３の物体側端面が携帯電話機１００の背面（図３（ｂ）参照）に設けられ、液晶表示部の下方に相当する位置に配設される。
【００６４】
撮像ユニット５０の外部接続端子５４（図４では矢印）は、携帯電話機１００の制御部１０１と接続され、輝度信号や色差信号等の画像信号を制御部１０１側に出力する。
【００６５】
一方、携帯電話機１００は、図４に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像ユニット５０により得られた撮像データ等を一時的に格納する作業領域として用いられる及び一時記憶部（ＲＡＭ）９２とを備えている。
【００６６】
撮像ユニット５０から入力された画像信号は、上記携帯電話機１００の制御系により、記憶部９２に記憶されたり、或いは表示部７０で表示され、さらには、無線通信部８０を介して映像情報として外部に送信される。
【実施例】
【００６７】
以下に、上記の実施の形態に適用される撮像レンズの実施例を示す。各実施例に使用する記号は下記のとおりである。
ｆ      ：撮像レンズ全系の焦点距離
ｆＢ    ：バックフォーカス
Ｆ      ：Ｆナンバー
２Ｙ    ：固体撮像素子の撮像面対角線長（固体撮像素子の矩形実効画素領域の対角線長）
ＥＮＴＰ：入射瞳位置（第１面から入射瞳位置までの距離）
ＥＸＴＰ：射出瞳位置（撮像面から射出瞳位置までの距離）
Ｈ１    ：前側主点位置（第１面から前側主点位置までの距離）
Ｈ２    ：後側主点位置（最終面から後側主点位置までの距離）
Ｒ      ：屈折面の曲率半径
Ｄ      ：軸上面間隔
Ｎｄ    ：レンズ材料のｄ線の常温での屈折率
νｄ    ：レンズ材料のアッベ数
【００６８】
各実施例において、面番号の後に「＊」が記載されている面は、非球面の形状を有する面であり、非球面の形状は、面の頂点を原点とし、光軸方向にＸ軸をとり、光軸と垂直方向の高さをｈとして、以下の（数１）で表す。
【００６９】
【数１】
2010224521.tif 000003
ただし、
Ａｉ：ｉ次の非球面係数
Ｒ：曲率半径
Ｋ：円錐定数である。
【００７０】
また、以降（表のレンズデータを含む）において、１０のべき乗数（例えば、２．５×１０−０２）をＥ（例えば２．５Ｅ−０２）を用いて表すものとする。また、レンズデータの面番号は、第１レンズの物体側を１面として順に付与した。なお、実施例に記載の長さを表す数値の単位はすべてｍｍとする。
【００７１】
（実施例１）
実施例１の撮像レンズのレンズデータを、以下の（表１）に示す。
【００７２】
（表１）
実施例1
f=5.35mm      fB=0.35mm       F=2.88      2Y=7.056mm
ENTP=0.83mm      EXTP=-2.85mm      H1=-2.77mm      H2=-5mm
面番号      R(mm)      D(mm)      Nd            νd      有効半径(mm)
1*        1.868        0.99        1.54470      56.2      1.27 
2*        -12.867      0.03                               0.94 
3(絞り)    ∞          0.07                                0.78 
4*        -77.808      0.30        1.63200      23.4      0.78 
5*          3.130      0.52                                0.87 
6*        -7.802        0.49        1.63200      23.4      1.13 
7*        -5.364        0.45                              1.37 
8*        -3.734        0.89        1.54470      56.2      1.63 
9*        -1.726        0.67                                1.94 
10*        -3.739        0.50        1.54470      56.2      2.62 
11*        3.354        0.60                                3.02 
12          ∞          0.15        1.51630      64.1        3.56 
13          ∞                                                3.60 
非球面係数
第1面                                                        第7面
K=0.86114E-01                                              K=0.29935E+01
A4=-0.36919E-02                                          A4=-0.22578E-01
A6=-0.11430E-02                                          A6=0.30410E-02
A8=-0.29234E-02                                          A8=0.21938E-02
A10=0.66419E-03                                          A10=-0.26762E-03
A12=0.35265E-03                                          A12=-0.14594E-03
A14=-0.71249E-03                                        A14=0.10590E-03
第2面                                                        第8面
K=-0.30000E+02                                              K=0.30708E+00
A4=0.44743E-02                                              A4=-0.85437E-02
A6=0.59395E-02                                              A6=0.26674E-02
A8=-0.20900E-02                                            A8=-0.68745E-03
A10=-0.87392E-02                                          A10=0.43849E-04
A12=-0.49763E-02                                          A12=0.89749E-04
A14=0.69078E-02                                            A14=0.28962E-06
第4面                                                          第9面
K=-0.30000E+02                                              K=-0.35720E+01
A4=0.82710E-02                                              A4=-0.35914E-01
A6=0.41884E-01                                              A6=0.10330E-01
A8=-0.26557E-01                                            A8=-0.20492E-02
A10=-0.68997E-02                                          A10=0.36205E-03
A12=0.95617E-02                                            A12=-0.32677E-05
A14=0.73542E-04                                            A14=-0.74676E-06
第5面                                                          第10面
K=-0.23003E+01                                              K=-0.20269E+01
A4=0.22682E-01                                              A4=-0.35375E-01
A6=0.54370E-01                                              A6=0.93988E-02
A8=-0.32869E-01                                            A8=-0.40696E-03
A10=0.24226E-01                                            A10=-0.14538E-03
A12=-0.12220E-02                                          A12=0.26796E-04
A14=0.29419E-03                                            A14=-0.14283E-05
第6面                                                          第11面
K=0.82463E+01                                                K=-0.21437E+02
A4=-0.43229E-01                                            A4=-0.29215E-01
A6=-0.40332E-02                                            A6=0.49291E-02
A8=0.15689E-01                                              A8=-0.68365E-03
A10=-0.37481E-02                                            A10=0.62355E-04
A12=-0.88751E-02                                            A12=-0.44044E-05
A14=0.76279E-02                                              A14=0.18806E-06
単レンズデータ
レンズ        始面            焦点距離(mm)
1              1                3.067 
2              4              -4.754 
3               6              25.192 
4              8                5.097 
5              10            -3.167 
【００７３】
図５は実施例１のレンズの断面図である。図中、L1は第１レンズ、L2は像側面が非球面形状を有し光軸から周辺側に離れるに従って負の屈折力が弱くなる形状を持つ第２レンズ、L3は正の屈折力を有し像側に凸面を向けたメニスカス形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図６は、実施例１の収差図（球面収差（ａ）、非点収差（ｂ）、歪曲収差（ｃ）、メリディオナルコマ収差（ｄ））である。尚、以降の収差図において、球面収差図では、実線がｄ線、点線がｇ線を表し、非点収差図では、実線がサジタル像面、二点鎖線がメリジオナル像面をあらわすものとする。本実施例において、全てのレンズはプラスチック材料から形成されており、オートフォーカスやマクロ切り替え機能等での焦点位置合わせを、第１レンズから第３レンズまでを一体で移動させて行う部分群繰り出しを想定している。
【００７４】
（実施例２）
実施例２の撮像レンズのレンズデータを、以下の（表２）に示す。
【００７５】
（表２）
実施例2
f=5.54mm    fB=0.66mm    F=2.88      2Y=7.056mm
ENTP=0.82mm    EXTP=-2.97mm    H1=-2.09mm    H2=-4.88mm
面番号      R(mm)      D(mm)      Nd            νd      有効半径(mm)
1*          1.720      0.96        1.54470      56.2        1.25 
2*      -23.558        0.03                                0.95 
3(絞り)    ∞          0.07                                0.80 
4*      47.467        0.30        1.63200      23.4        0.82 
5*      2.945          0.61                                0.87 
6*      -6.119        0.64        1.63200      23.4        1.07 
7*      -5.324        0.36                                1.48 
8*      -1.991        0.68        1.54470      56.2        1.66 
9*      -1.322        0.45                                1.94 
10*      -14.605        0.50        1.54470      56.2        2.67 
11*        2.385        0.60                                2.92 
12          ∞          0.15        1.51630      64.1        3.46 
13          ∞                                                3.51 
非球面係数
第1面                                                        第7面
K=0.53402E-01                                              K=0.11434E+02
A4=-0.45821E-02                                          A4=-0.19137E-01
A6=-0.41569E-02                                          A6=-0.95346E-02
A8=-0.31982E-02                                          A8=0.45815E-02
A10=0.60924E-03                                          A10=0.18352E-04
A12=-0.73947E-03                                        A12=-0.98397E-03
A14=-0.55630E-03                                        A14=0.20748E-03
第2面                                                        第8面
K=0.30000E+02                                              K=-0.15781E+01
A4=-0.11722E-01                                          A4=-0.63011E-02
A6=0.64982E-02                                            A6=0.17851E-02
A8=0.13633E-02                                            A8=0.81541E-03
A10=-0.72007E-02                                        A10=0.45137E-04
A12=-0.15553E-02                                        A12=-0.12833E-04
A14=0.19025E-02                                          A14=-0.33164E-05
第4面                                                        第9面
K=-0.30000E+02                                            K=-0.28206E+01
A4=0.32885E-02                                            A4=-0.36014E-01
A6=0.44481E-01                                            A6=0.17500E-01
A8=-0.19144E-01                                          A8=-0.27665E-02
A10=0.78797E-02                                          A10=0.35659E-03
A12=-0.37681E-03                                        A12=-0.12952E-04
A14=0.10763E-03                                          A14=-0.44673E-05
第5面                                                        第10面
K=-0.65507E+00                                            K=0.14737E+02
A4=0.29332E-01                                            A4=-0.39323E-01
A6=0.55075E-01                                            A6=0.10290E-01
A8=-0.21644E-01                                          A8=-0.52607E-03
A10=0.10862E-01                                          A10=-0.19505E-03
A12=0.20760E-01                                          A12=0.37292E-04
A14=-0.10010E-02                                        A14=-0.19742E-05
第6面                                                        第11面
K=0.70484E+01                                              K=-0.13974E+02
A4=-0.60050E-01                                          A4=-0.39548E-01
A6=-0.27703E-01                                          A6=0.68986E-02
A8=0.72650E-02                                            A8=-0.90503E-03
A10=-0.51157E-02                                        A10=0.80310E-04
A12=-0.43306E-02                                        A12=-0.59310E-05
A14=-0.68395E-02                                        A14=0.27988E-06
単レンズデータ
レンズ        始面            焦点距離(mm)
1              1                  2.983 
2              4                -4.981 
3              6                49.323 
4              8                  5.304 
5              10              -3.726 
【００７６】
図７は実施例２のレンズの断面図である。図中、L1は第１レンズ、L2は像側面が非球面形状を有し光軸から周辺側に離れるに従って負の屈折力が弱くなる形状を持つ第２レンズ、L3は正の屈折力を有し像側に凸面を向けたメニスカス形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図８は、実施例２の収差図（球面収差（ａ）、非点収差（ｂ）、歪曲収差（ｃ）、メリディオナルコマ収差（ｄ））である。本実施例において、全てのレンズはプラスチック材料から形成されており、オートフォーカスやマクロ切り替え機能等での焦点位置合わせを、第１レンズから第３レンズまでを一体で移動させて行う部分群繰り出しを想定している。
【００７７】
（実施例３）
実施例３の撮像レンズのレンズデータを、以下の（表３）に示す。
【００７８】
（表３）
実施例3
f=4.81mm    fB=0.5mm    F=2.88      2Y=7.056mm
ENTP=0.66mm    EXTP=-2.66mm    H1=-1.84mm    H2=-4.31mm
面番号      R(mm)      D(mm)      Nd            νd      有効半径(mm)
1*        1.792        0.78        1.54470      56.2      1.10 
2*        57.549        0.05                              0.78 
3(絞り)    ∞          0.05                                0.71 
4*        15.461        0.30        1.63200      23.4      0.75 
5*        2.544        0.41                                0.86 
6*        6.186        0.36        1.63200      23.4        1.16 
7*        8.531        0.64                                1.35 
8*        -9.117        1.06          1.54470    56.2      1.94 
9*        -1.182        0.40                                2.19 
10*      -2.455        0.45          1.54470    56.2        2.87 
11*        2.057        0.56                                3.21 
12          ∞          0.15          1.51630    64.1        3.49 
13          ∞                                              3.53 
非球面係数
第1面                                                        第7面
K=0.28280E+00                                              K=-0.19178E+02
A4=0.18157E-02                                            A4=-0.43032E-01
A6=0.36321E-02                                            A6=-0.10803E-02
A8=0.25085E-02                                            A8=-0.18993E-02
A10=0.36227E-03                                          A10=0.52273E-02
A12=0.15340E-02                                          A12=0.14113E-02
A14=0.15062E-03                                          A14=-0.10676E-02
第2面                                                        第8面
K=0.50000E+02                                              K=-0.15420E+01
A4=0.38939E-01                                            A4=-0.13389E-01
A6=0.11307E-01                                            A6=0.10698E-01
A8=0.17605E-02                                            A8=-0.48204E-02
A10=-0.62245E-02                                        A10=-0.29713E-03
A12=-0.21671E-01                                        A12=0.54057E-03
A14=0.17162E-01                                          A14=-0.72497E-04
第4面                                                        第9面
K=-0.50000E+02                                            K=-0.36020E+01
A4=-0.87875E-02                                          A4=-0.38865E-01
A6=0.64359E-01                                            A6=0.19925E-01
A8=-0.91504E-01                                          A8=-0.18305E-02
A10=0.29139E-01                                          A10=-0.40295E-04
A12=-0.24095E-02                                        A12=-0.91416E-04
A14=0.97740E-04                                          A14=0.15057E-04
第5面                                                        第10面
K=-0.66081E+01                                            K=-0.14109E+02
A4=0.13885E-01                                            A4=-0.29404E-01
A6=0.69097E-01                                            A6=0.96542E-02
A8=-0.85538E-01                                          A8=-0.42471E-03
A10=0.46544E-01                                          A10=-0.16082E-03
A12=-0.77168E-02                                        A12=0.23786E-04
A14=0.26204E-03                                          A14=-0.10116E-05
第6面                                                        第11面
K=-0.76395E+01                                            K=-0.13938E+02
A4=-0.63122E-01                                          A4=-0.24657E-01
A6=0.18164E-02                                            A6=0.47086E-02
A8=0.90117E-02                                            A8=-0.79679E-03
A10=-0.67614E-03                                        A10=0.79104E-04
A12=0.50409E-02                                          A12=-0.32046E-05
A14=-0.38787E-02                                        A14=0.15825E-07
単レンズデータ
レンズ        始面            焦点距離(mm)
1              1                3.379 
2              4              -4.863 
3              6              33.628 
4              8                2.382 
5            10              -1.985 
【００７９】
図９は実施例３のレンズの断面図である。図中、L1は第１レンズ、L2は像側面が非球面形状を有し光軸から周辺側に離れるに従って負の屈折力が弱くなる形状を持つ第２レンズ、L3は正の屈折力を有し物体側に凸面を向けたメニスカス形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図１０は、実施例３の収差図（球面収差（ａ）、非点収差（ｂ）、歪曲収差（ｃ）、メリディオナルコマ収差（ｄ））である。本実施例において、全てのレンズはプラスチック材料から形成されており、オートフォーカスやマクロ切り替え機能等での焦点位置合わせを、第１レンズから第５レンズ全てを一体で移動させて行う全体繰り出しを想定している。
【００８０】
（実施例４）
実施例４の撮像レンズのレンズデータを、以下の（表４）に示す。
【００８１】
（表４）
実施例4
f=5.18mm    fB=0.42mm    F=2.88      2Y=7.056mm
ENTP=0.7mm    EXTP=-2.8mm    H1=-2.45mm    H2=-4.76mm
面番号      R(mm)      D(mm)      Nd            νd      有効半径(mm)
1*        1.990        0.85        1.54470      56.2        1.20 
2*        -23.027      0.03                                  0.89 
3(絞り)    ∞          0.07                                  0.78 
4*        8.833        0.39        1.63200      23.4        0.80 
5*        2.328        0.59                                  0.91 
6*        352.665      0.52        1.63200      23.4        1.28 
7*        -32.217      0.32                                  1.58 
8*        -7.160        0.92        1.54470      56.2        1.98 
9*        -1.730        0.64                                  2.18 
10*        -5.139        0.50        1.54470      56.2        2.61 
11*          2.463      0.60                                  3.00 
12            ∞        0.15          1.51630      64.1        3.43 
13            ∞                                              3.47 
非球面係数
第1面                                                        第7面
K=0.13376E+00                                              K=0.30000E+02
A4=-0.28477E-02                                          A4=-0.32753E-01
A6=-0.88702E-03                                          A6=0.68366E-03
A8=-0.34504E-02                                          A8=0.19479E-02
A10=0.13424E-02                                          A10=0.83823E-03
A12=0.77721E-03                                          A12=-0.14388E-04
A14=-0.89811E-03                                        A14=-0.14878E-03
第2面                                                        第8面
K=0.11553E+02                                              K=-0.98552E+01
A4=0.42804E-02                                            A4=0.73676E-02
A6=0.15894E-02                                            A6=0.22087E-02
A8=-0.21334E-02                                          A8=0.53270E-03
A10=-0.34776E-02                                        A10=-0.84753E-04
A12=0.50375E-02                                          A12=-0.26378E-04
A14=-0.42310E-02                                        A14=0.91558E-06
第4面                                                        第9面
K=0.15515E+02                                              K=-0.40175E+01
A4=-0.24917E-01                                          A4=-0.21575E-01
A6=0.28126E-01                                            A6=0.14621E-01
A8=-0.17672E-01                                          A8=-0.22869E-02
A10=0.80298E-02                                          A10=0.25379E-03
A12=-0.33599E-02                                        A12=-0.11607E-04
A14=0.74181E-04                                          A14=-0.16254E-05
第5面                                                        第10面
K=-0.36873E+01                                            K=-0.15023E+01
A4=0.10798E-01                                            A4=-0.39861E-01
A6=0.41727E-01                                            A6=0.88885E-02
A8=-0.24303E-01                                          A8=-0.34555E-03
A10=0.11714E-01                                          A10=-0.13035E-03
A12=0.11284E-02                                          A12=0.28002E-04
A14=0.28539E-03                                          A14=-0.17380E-05
第6面                                                        第11面
K=-0.30000E+02                                            K=-0.12346E+02
A4=-0.49753E-01                                          A4=-0.32180E-01
A6=0.13057E-02                                            A6=0.52829E-02
A8=0.51214E-02                                            A8=-0.74278E-03
A10=-0.23916E-03                                        A10=0.64566E-04
A12=0.23470E-03                                          A12=-0.37112E-05
A14=-0.21080E-03                                        A14=0.13660E-06
単レンズデータ
レンズ        始面            焦点距離(mm)
1              1                  3.404 
2              4                -5.119 
3              6                46.734 
4              8                  3.952 
5            10                -2.987 
【００８２】
図１１は実施例４のレンズの断面図である。図中、L1は第１レンズ、L2は像側面が非球面形状を有し光軸から周辺側に離れるに従って負の屈折力が弱くなる形状を持つ第２レンズ、L3は正の屈折力を有し両凸形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図１２は、実施例４の収差図（球面収差（ａ）、非点収差（ｂ）、歪曲収差（ｃ）、メリディオナルコマ収差（ｄ））である。本実施例において、全てのレンズはプラスチック材料から形成されており、オートフォーカスやマクロ切り替え機能等での焦点位置合わせを、第１レンズのみを移動させて行う部分群繰り出しを想定している。
【００８３】
（実施例５）
実施例５の撮像レンズのレンズデータを、以下の（表５）に示す。
【００８４】
（表５）
実施例5
f=5.31mm    fB=0.33mm    F=2.88      2Y=7.056mm
ENTP=0.74mm    EXTP=-2.89mm    H1=-2.73mm    H2=-4.98mm
面番号      R(mm)      D(mm)      Nd            νd      有効半径(mm)
1*        2.080        0.92        1.58910      61.1        1.23 
2*        -19.374      0.03                                  0.92 
3(絞り)    ∞          0.07                                  0.79 
4*        10.834      0.30        1.63200        23.4        0.81 
5*        2.647        0.52                                  0.88 
6*        -3.960      0.49        1.58300        30.0        1.10 
7*        -3.278      0.50                                    1.33 
8*        -4.546      0.85        1.54470        56.2        1.73 
9*        -2.015      0.74                                    2.01 
10*      -4.033        0.50        1.54470        56.2        2.58 
11*        3.565      0.60                                    3.00 
12          ∞          0.15        1.51630       64.1        3.49 
13          ∞                                                3.53 
非球面係数
第1面                                                        第7面
K=0.11341E-01                                              K=-0.12813E+01
A4=-0.61902E-02                                            A4=-0.13758E-01
A6=-0.18797E-02                                            A6=0.53762E-02
A8=-0.43872E-02                                            A8=0.38944E-02
A10=0.80988E-03                                            A10=0.14077E-02
A12=0.33843E-03                                            A12=0.29753E-04
A14=-0.68958E-03                                          A14=-0.41054E-03
第2面                                                        第8面
K=0.30000E+02                                              K=-0.10909E+02
A4=-0.74760E-02                                          A4=-0.79294E-02
A6=0.19458E-02                                            A6=-0.46480E-03
A8=-0.21306E-03                                          A8=0.42122E-03
A10=-0.63155E-02                                        A10=-0.32719E-05
A12=-0.26654E-02                                        A12=-0.71697E-05
A14=0.21493E-02                                          A14=0.62492E-05
第4面                                                        第9面
K=0.30000E+02                                              K=-0.53073E+01
A4=-0.40856E-03                                          A4=-0.31125E-01
A6=0.36637E-01                                            A6=0.11291E-01
A8=-0.20027E-01                                          A8=-0.23761E-02
A10=0.13836E-02                                          A10=0.29418E-03
A12=-0.32676E-02                                        A12=-0.20198E-05
A14=0.73296E-04                                          A14=-0.40849E-06
第5面                                                        第10面
K=-0.14484E+01                                            K=-0.38554E+01
A4=0.25927E-01                                            A4=-0.36045E-01
A6=0.46724E-01                                            A6=0.90364E-02
A8=-0.18136E-01                                          A8=-0.41276E-03
A10=0.18011E-01                                          A10=-0.14394E-03
A12=-0.78087E-02                                        A12=0.27236E-04
A14=0.29395E-03                                          A14=-0.14636E-05
第6面                                                        第11面
K=-0.41502E+01                                            K=-0.23488E+02
A4=-0.39354E-01                                          A4=-0.27845E-01
A6=0.78876E-02                                            A6=0.50532E-02
A8=0.17539E-01                                            A8=-0.71653E-03
A10=0.84865E-03                                          A10=0.62568E-04
A12=-0.36872E-02                                        A12=-0.38441E-05
A14=0.29159E-02                                          A14=0.14353E-06
単レンズデータ
レンズ        始面            焦点距離(mm)
1              1                3.240 
2              4              -5.624 
3              6              25.776 
4              8                5.937 
5              10            -3.395 
【００８５】
図１３は実施例５のレンズの断面図である。図中、L1は第１レンズ、L2は像側面が非球面形状を有し光軸から周辺側に離れるに従って負の屈折力が弱くなる形状を持つ第２レンズ、L3は正の屈折力を有し像側に凸面を向けたメニスカス形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図１４は、実施例５の収差図（球面収差（ａ）、非点収差（ｂ）、歪曲収差（ｃ）、メリディオナルコマ収差（ｄ））である。本実施例において、第１レンズはガラスモールドレンズ、第２レンズから第５レンズはプラスチック材料から形成されており、オートフォーカスやマクロ切り替え機能等での焦点位置合わせを、第１レンズから第３レンズまでを一体で移動させて行う部分群繰り出しを想定している。
【００８６】
（実施例６）
実施例６の撮像レンズのレンズデータを、以下の（表６）に示す。
【００８７】
（表６）
実施例6
f=5.22mm    fB=0.44mm    F=2.88      2Y=7.056mm
ENTP=0.72mm    EXTP=-2.74mm    H1=-2.63mm    H2=-4.78mm
面番号      R(mm)      D(mm)      Nd            νd      有効半径(mm)
1*        1.729        0.86        1.54470      56.2      1.19 
2*        -20.800        0.03                              0.92 
3(絞り)    ∞            0.07                              0.77 
4*        -21.488        0.30      1.63200      23.4        0.78 
5*        3.677          0.47                              0.86 
6*        -7.887          0.49      1.63200      23.4      1.07 
7*        -6.594          0.59                              1.29 
8*        -4.090          0.76      1.54470      56.2      1.55 
9*        -1.460          0.50                              1.92 
10*      -2.470          0.45        1.54470      56.2      2.62 
11*        3.551          0.60                              2.93 
12          ∞            0.15        1.51630      64.1      3.43 
13          ∞                                                3.47 
非球面係数
第1面                                                        第7面
K=0.63943E-01                                              K=0.12399E+02
A4=-0.33617E-02                                          A4=-0.44413E-01
A6=-0.60573E-03                                          A6=0.17926E-03
A8=-0.70508E-02                                          A8=0.24801E-02
A10=0.20424E-02                                          A10=0.16956E-02
A12=0.22804E-02                                          A12=0.10545E-02
A14=-0.31162E-02                                        A14=-0.30496E-03
第2面                                                        第8面
K=-0.30000E+02                                            K=0.11912E+01
A4=-0.60841E-02                                          A4=-0.17370E-01
A6=0.10661E-01                                            A6=-0.12267E-02
A8=0.11803E-02                                            A8=-0.13597E-02
A10=-0.13577E-01                                        A10=-0.27798E-03
A12=-0.12161E-01                                        A12=-0.15744E-04
A14=0.11602E-01                                          A14=0.50323E-04
第4面                                                        第9面
K=-0.30000E+02                                            K=-0.35985E+01
A4=0.12790E-01                                            A4=-0.28074E-01
A6=0.53609E-01                                            A6=0.13549E-01
A8=-0.30950E-01                                          A8=-0.26273E-02
A10=-0.10729E-01                                        A10=0.16011E-03
A12=0.23044E-01                                          A12=-0.15354E-04
A14=-0.15764E-01                                        A14=0.40283E-05
第5面                                                        第10面
K=-0.98249E+00                                            K=-0.10262E+02
A4=0.31494E-01                                            A4=-0.33268E-01
A6=0.69027E-01                                            A6=0.95151E-02
A8=-0.36243E-01                                          A8=-0.42370E-03
A10=0.16717E-01                                          A10=-0.15647E-03
A12=0.38281E-01                                          A12=0.25235E-04
A14=-0.25688E-01                                        A14=-0.11601E-05
第6面                                                        第11面
K=0.21294E+02                                              K=-0.26980E+02
A4=-0.63074E-01                                          A4=-0.27359E-01
A6=-0.10415E-01                                          A6=0.44330E-02
A8=0.28631E-01                                            A8=-0.68670E-03
A10=-0.20777E-02                                        A10=0.67313E-04
A12=-0.12482E-01                                        A12=-0.40187E-05
A14=0.13343E-01                                          A14=0.13746E-06
単レンズデータ
レンズ        始面            焦点距離(mm)
1              1                  2.971 
2              4                -4.945 
3              6                55.485 
4              8                  3.782 
5            10                -2.605 
【００８８】
図１５は実施例６のレンズの断面図である。図中、L1は第１レンズ、L2は像側面が非球面形状を有し光軸から周辺側に離れるに従って負の屈折力が弱くなる形状を持つ第２レンズ、L3は正の屈折力を有し像側に凸面を向けたメニスカス形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図１６は、実施例６の収差図（球面収差（ａ）、非点収差（ｂ）、歪曲収差（ｃ）、メリディオナルコマ収差（ｄ））である。本実施例において、全てのレンズはプラスチック材料から形成されており、オートフォーカスやマクロ切り替え機能等での焦点位置合わせを、第１レンズから第５レンズ全てを一体で移動させて行う全体繰り出しを想定している。
【００８９】
（実施例７）
実施例７の撮像レンズのレンズデータを、以下の（表７）に示す。
【００９０】
（表７）
実施例7
f=4.96mm    fB=0.52mm    F=2.88      2Y=7.056mm
ENTP=0.79mm    EXTP=-2.66mm    H1=-1.99mm    H2=-4.44mm
面番号      R(mm)      D(mm)      Nd            νd      有効半径(mm)
1*        1.571        0.87        1.54470      56.2        1.11 
2*        15.189        0.06                                0.73 
3(絞り)    ∞          0.05                                  0.69 
4*        7.824        0.10        1.63200      23.4        0.71 
5*        1.950        0.31                                  0.77 
6*        40.312        0.41        1.63200      23.4        1.08 
7*        -17.171      0.76                                  1.27 
8*        -5.611        1.02        1.54470      56.2        1.95 
9*        -1.402        0.58                                  2.21 
10*        -2.423      0.45        1.54470        56.2        2.88 
11*        3.471        0.44                                  3.18 
12          ∞          0.15        1.51630      64.1          3.50 
13          ∞                                                3.53 
非球面係数
第1面                                                        第7面
K=0.83130E+00                                              K=-0.70000E+02
A4=-0.10268E-01                                          A4=-0.76440E-03
A6=-0.42689E-02                                          A6=0.84281E-02
A8=-0.43147E-02                                          A8=-0.18005E-01
A10=0.42401E-02                                          A10=0.16989E-01
A12=-0.24172E-02                                        A12=-0.48745E-02
A14=-0.75305E-03                                        A14=-0.25855E-03
第2面                                                        第8面
K=0.68651E+02                                              K=0.32625E+01
A4=0.89811E-01                                            A4=-0.16212E-01
A6=-0.29703E-01                                          A6=0.11989E-01
A8=0.61974E-01                                            A8=-0.22181E-02
A10=-0.11922E-01                                        A10=-0.62548E-03
A12=0.25853E-01                                          A12=0.46498E-03
A14=0.17162E-01                                          A14=-0.71685E-04
第4面                                                        第9面
K=-0.70000E+02                                            K=-0.28792E+01
A4=-0.56006E-01                                          A4=-0.42948E-01
A6=0.10710E+00                                            A6=0.10855E-01
A8=-0.17971E+00                                          A8=-0.71437E-03
A10=0.87586E-01                                          A10=0.43950E-03
A12=-0.23393E-02                                        A12=-0.75454E-04
A14=0.97877E-04                                          A14=-0.10303E-05
第5面                                                        第10面
K=-0.88402E+01                                            K=-0.75911E+01
A4=0.39474E-01                                            A4=-0.43692E-01
A6=0.72314E-01                                            A6=0.11221E-01
A8=-0.12762E+00                                          A8=-0.30259E-03
A10=0.91917E-01                                          A10=-0.17435E-03
A12=-0.27951E-01                                        A12=0.22224E-04
A14=0.26160E-03                                          A14=-0.85489E-06
第6面                                                        第11面
K=0.70000E+02                                              K=-0.22430E+02
A4=-0.52533E-02                                          A4=-0.25878E-01
A6=-0.39345E-02                                          A6=0.40604E-02
A8=0.22647E-01                                            A8=-0.64925E-03
A10=-0.99634E-02                                        A10=0.71685E-04
A12=0.67941E-02                                          A12=-0.41703E-05
A14=-0.57345E-02                                        A14=0.96628E-07
単レンズデータ
レンズ        始面            焦点距離(mm)
1              1                  3.146 
2              4                -4.136 
3              6                19.107 
4              8                  3.162 
5            10                -2.551 
【００９１】
図１７は実施例７のレンズの断面図である。図中、L1は第１レンズ、L2は像側面が非球面形状を有し光軸から周辺側に離れるに従って負の屈折力が弱くなる形状を持つ第２レンズ、L3は正の屈折力を有し両凸形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図１８は、実施例７の収差図（球面収差（ａ）、非点収差（ｂ）、歪曲収差（ｃ）、メリディオナルコマ収差（ｄ））である。本実施例において、全てのレンズはプラスチック材料から形成されており、オートフォーカスやマクロ切り替え機能等での焦点位置合わせを、第１レンズから第３レンズまでを一体で移動させて行う部分群繰り出しを想定している。
【００９２】
（実施例８）
実施例８の撮像レンズのレンズデータを、以下の（表８）に示す。
【００９３】
（表８）
実施例8
f=4.95mm    fB=0.74mm    F=2.89      2Y=7.056mm
ENTP=0.67mm    EXTP=-2.03mm    H1=-3.22mm    H2=-4.21mm
面番号      R(mm)      D(mm)      Nd            νd      有効半径(mm)
1*        1.666        0.82        1.54470      56.2      1.13 
2*        -18.998      0.02                                0.85 
3(絞り)    ∞          0.07                                0.74 
4*          30.109      0.27      1.63200        23.4      0.75 
5*          2.917      0.53                                0.82 
6*          -4.011      0.48      1.63200        23.4      1.05 
7*          -3.572      0.45                                1.33 
8*          -4.535      0.82      1.54470        56.2      1.73 
9*          -1.823      0.74                                2.10 
10*        -1.697      0.45        1.62970        50.3      2.70 
11*        519.551      0.33                                2.94 
非球面係数
第1面                                                        第7面
K=-0.90835E-02                                            K=0.20329E+01
A4=-0.53029E-02                                          A4=-0.22104E-01
A6=0.61939E-03                                            A6=-0.28834E-03
A8=-0.88472E-02                                          A8=0.67031E-02
A10=0.44408E-03                                          A10=0.14227E-02
A12=0.18605E-02                                          A12=0.19302E-03
A14=-0.31735E-02                                        A14=-0.36898E-03
第2面                                                        第8面
K=-0.50000E+02                                            K=-0.16798E+01
A4=0.64507E-02                                            A4=-0.18481E-01
A6=-0.95468E-02                                          A6=0.12303E-01
A8=0.60733E-02                                            A8=-0.40321E-02
A10=-0.57496E-02                                        A10=0.17316E-03
A12=-0.29120E-01                                        A12=0.25859E-03
A14=0.23702E-01                                          A14=-0.61955E-04
第4面                                                        第9面
K=0.23045E+02                                              K=-0.27038E+01
A4=0.29759E-01                                            A4=-0.23692E-01
A6=0.30766E-01                                            A6=0.12174E-01
A8=-0.39498E-01                                          A8=-0.11857E-02
A10=0.68657E-01                                          A10=0.51281E-04
A12=-0.56360E-01                                        A12=-0.26199E-04
A14=-0.50575E-03                                        A14=0.91959E-06
第5面                                                        第10面
K=0.56138E+00                                              K=-0.25193E+01
A4=0.37403E-01                                            A4=-0.19368E-01
A6=0.53414E-01                                            A6=0.74144E-02
A8=-0.40337E-01                                          A8=-0.29854E-03
A10=0.93197E-01                                          A10=-0.95134E-04
A12=-0.43382E-01                                        A12=0.11269E-04
A14=-0.26385E-03                                        A14=-0.34300E-06
第6面                                                        第11面
K=0.60547E+01                                              K=0.29367E+05
A4=-0.48941E-01                                          A4=-0.26235E-01
A6=-0.23104E-01                                          A6=0.36566E-02
A8=0.51432E-01                                            A8=-0.45778E-03
A10=-0.73129E-02                                        A10=0.32109E-04
A12=-0.46935E-01                                        A12=-0.22944E-05
A14=0.38891E-01                                          A14=0.15566E-06
単レンズデータ
レンズ        始面            焦点距離(mm)
1              1                  2.853 
2              4                -5.131 
3              6                36.226 
4              8                  5.058 
5            10                -2.686 
【００９４】
図１９は実施例８のレンズの断面図である。図中、L1は第１レンズ、L2は像側面が非球面形状を有し光軸から周辺側に離れるに従って負の屈折力が弱くなる形状を持つ第２レンズ、L3は正の屈折力を有し像側に凸面を向けたメニスカス形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図２０は、実施例８の収差図（球面収差（ａ）、非点収差（ｂ）、歪曲収差（ｃ）、メリディオナルコマ収差（ｄ））である。本実施例において、第５レンズはガラスモールドレンズ、第１レンズから第４レンズはプラスチック材料から形成されており、オートフォーカスやマクロ切り替え機能等での焦点位置合わせを、第１レンズから第３レンズまでを一体で移動させて行う部分群繰り出しを想定している。
【００９５】
（実施例９）
実施例９の撮像レンズのレンズデータを、以下の（表９）に示す。
【００９６】
（表９）
実施例9
f=5.14mm    fB=0.38mm    F=2.88      2Y=7.056mm
ENTP=0.75mm    EXTP=-2.82mm    H1=-2.36mm    H2=-4.76mm
面番号      R(mm)      D(mm)      Nd            νd      有効半径(mm)
1*        1.741        0.91        1.54470      56.2        1.19 
2*        -15.045      0.02                                0.87 
3(絞り)    ∞          0.07                                0.75 
4*        47.638        0.30        1.63200      23.4      0.77 
5*        2.776        0.51                                0.85 
6*        -7.760        0.49        1.63200      23.4      1.11 
7*        -5.471        0.52                                1.38 
8*        -3.544        0.87        1.54470      56.2      1.64 
9*        -1.465        0.44                                1.99 
10*        -2.939        0.45        1.54470      56.2      2.78 
11*        3.241        0.60                                3.02 
12          ∞          0.15        1.51630      64.1        3.67 
13          ∞                                                3.72 
非球面係数
第1面                                                        第7面
K=0.56578E-01                                              K=0.32195E+01
A4=-0.38384E-02                                          A4=-0.28557E-01
A6=-0.24813E-02                                          A6=0.58197E-02
A8=-0.26675E-02                                          A8=0.13286E-02
A10=0.56963E-04                                          A10=-0.61585E-03
A12=0.45840E-03                                          A12=0.30164E-03
A14=-0.96060E-03                                        A14=-0.46265E-04
第2面                                                        第8面
K=-0.30000E+02                                            K=0.11099E+01
A4=0.83920E-02                                            A4=-0.31386E-01
A6=0.34618E-02                                            A6=0.14448E-01
A8=0.19778E-03                                            A8=-0.34807E-02
A10=-0.61346E-02                                          A10=-0.33301E-03
A12=-0.86245E-02                                          A12=0.25191E-03
A14=0.68234E-02                                            A14=-0.29777E-05
第4面                                                        第9面
K=-0.30010E+02                                            K=-0.28409E+01
A4=0.92225E-02                                            A4=-0.39030E-01
A6=0.45646E-01                                            A6=0.11960E-01
A8=-0.28388E-01                                          A8=-0.17698E-02
A10=0.92717E-02                                          A10=0.29007E-03
A12=-0.28557E-02                                        A12=-0.29318E-04
A14=-0.12337E-02                                        A14=0.11551E-05
第5面                                                        第10面
K=-0.18989E+01                                            K=-0.16643E+01
A4=0.24160E-01                                            A4=-0.28402E-01
A6=0.62322E-01                                            A6=0.10087E-01
A8=-0.42455E-01                                          A8=-0.45069E-03
A10=0.52383E-01                                          A10=-0.16285E-03
A12=-0.13455E-01                                        A12=0.25189E-04
A14=-0.64360E-03                                        A14=-0.11050E-05
第6面                                                        第11面
K=0.10151E+02                                              K=-0.23016E+02
A4=-0.46549E-01                                          A4=-0.34067E-01
A6=-0.21802E-01                                          A6=0.51715E-02
A8=0.38611E-01                                            A8=-0.67018E-03
A10=-0.92703E-02                                        A10=0.60510E-04
A12=-0.31188E-01                                        A12=-0.49001E-05
A14=0.22473E-01                                          A14=0.24886E-06
単レンズデータ
レンズ        始面            焦点距離(mm)
1              1                  2.920 
2              4                -4.677 
3              6                27.087 
4              8                  3.996 
5            10                -2.759 
【００９７】
図２１は実施例９のレンズの断面図である。図中、L1は第１レンズ、L2は像側面が非球面形状を有し光軸から周辺側に離れるに従って負の屈折力が弱くなる形状を持つ第２レンズ、L3は正の屈折力を有し像側に凸面を向けたメニスカス形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図２２は、実施例９の収差図（球面収差（ａ）、非点収差（ｂ）、歪曲収差（ｃ）、メリディオナルコマ収差（ｄ））である。本実施例において、全てのレンズはプラスチック材料から形成されており、オートフォーカスやマクロ切り替え機能等での焦点位置合わせを、第１レンズから第３レンズまでを一体で移動させて行う部分群繰り出しを想定している。
【００９８】
（実施例１０）
実施例１０の撮像レンズのレンズデータを、以下の（表１０）に示す。
【００９９】
（表１０）
実施例10
f=5.03mm    fB=0.36mm    F=2.88      2Y=7.056mm
ENTP=0.72mm    EXTP=-2.83mm    H1=-2.18mm    H2=-4.66mm
面番号      R(mm)      D(mm)      Nd            νd      有効半径(mm)
1*        1.726      0.87        1.54470      56.2        1.14 
2*        -33.292    0.02                                  0.83 
3(絞り)      ∞      0.07                                  0.75 
4*        15.952    0.30        1.63200      23.4          0.76 
5*        2.972      0.60                                  0.83 
6*        -6.447    0.63        1.63200      23.4          1.14 
7*        -10.575    0.31                                  1.54 
8*        -6.234    0.89        1.54470      56.2          1.74 
9*        -1.435    0.46                                    2.04 
10*        -2.437    0.45        1.54470      56.2          2.70 
11*        3.596      0.60                                  2.98 
12          ∞        0.15        1.51630      64.1          3.48 
13          ∞                                              3.52 
非球面係数
第1面                                                        第7面
K=0.30018E-02                                              K=0.24334E+02
A4=-0.55313E-02                                          A4=-0.43441E-01
A6=-0.49927E-02                                          A6=0.38446E-02
A8=-0.37862E-02                                          A8=-0.39522E-03
A10=-0.60143E-03                                        A10=-0.11851E-02
A12=-0.13767E-03                                        A12=0.35987E-03
A14=-0.14838E-02                                        A14=-0.33067E-04
第2面                                                        第8面
K=0.30000E+02                                              K=0.38433E+00
A4=-0.88598E-02                                          A4=-0.31751E-01
A6=-0.91733E-03                                          A6=0.12224E-01
A8=0.11877E-03                                            A8=-0.38062E-02
A10=-0.58309E-02                                        A10=-0.16809E-03
A12=-0.96625E-02                                        A12=0.26895E-03
A14=0.39638E-02                                          A14=-0.34307E-04
第4面                                                        第9面
K=0.30000E+02                                              K=-0.27704E+01
A4=0.18495E-01                                            A4=-0.36348E-01
A6=0.42836E-01                                            A6=0.13019E-01
A8=-0.28907E-01                                          A8=-0.16164E-02
A10=0.17676E-01                                          A10=0.29304E-03
A12=-0.12513E-01                                        A12=-0.32883E-04
A14=-0.12337E-02                                        A14=-0.73728E-06
第5面                                                        第10面
K=0.74019E+00                                              K=-0.21486E+01
A4=0.38736E-01                                            A4=-0.27001E-01
A6=0.55567E-01                                            A6=0.10190E-01
A8=-0.36194E-01                                          A8=-0.46109E-03
A10=0.66288E-01                                          A10=-0.16511E-03
A12=-0.27165E-01                                        A12=0.25001E-04
A14=-0.64352E-03                                        A14=-0.10723E-05
第6面                                                        第11面
K=0.20165E+02                                              K=-0.24814E+02
A4=-0.59452E-01                                          A4=-0.33800E-01
A6=-0.23276E-01                                          A6=0.52151E-02
A8=0.40113E-01                                            A8=-0.65956E-03
A10=-0.15272E-01                                        A10=0.60601E-04
A12=-0.37999E-01                                        A12=-0.49905E-05
A14=0.28556E-01                                          A14=0.24318E-06
単レンズデータ
レンズ        始面            焦点距離(mm)
1              1                  3.040 
2              4                -5.833 
3              6              -27.765 
4              8                3.212 
5              10              -2.598 
【０１００】
図２３は実施例１０のレンズの断面図である。図中、L1は第１レンズ、L2は像側面が非球面形状を有し光軸から周辺側に離れるに従って負の屈折力が弱くなる形状を持つ第２レンズ、L3は負の屈折力を有し像側に凸面を向けたメニスカス形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図２４は、実施例１０の収差図（球面収差（ａ）、非点収差（ｂ）、歪曲収差（ｃ）、メリディオナルコマ収差（ｄ））である。本実施例において、全てのレンズはプラスチック材料から形成されており、オートフォーカスやマクロ切り替え機能等での焦点位置合わせを、第１レンズから第３レンズまでを一体で移動させて行う部分群繰り出しを想定している。
【０１０１】
（実施例１１）
実施例１１の撮像レンズのレンズデータを、以下の（表１１）に示す。
【０１０２】
（表１１）
実施例11
f=4.66mm    fB=0.38mm    F=2.88      2Y=7.016mm
ENTP=0.54mm    EXTP=-2.86mm    H1=-1.49mm    H2=-4.28mm
面番号      R(mm)      D(mm)      Nd            νd      有効半径(mm)
1*        2.163        0.70        1.54470      56.2        1.08 
2*        -12.492      0.02                                  0.81 
3(絞り)    ∞          0.07                                  0.73 
4*        4.601        0.30        1.63200      23.4          0.76 
5*        1.825        0.43                                  0.86 
6*        -12.506      0.72        1.54470      56.2          1.15 
7*        -2.735        0.67                                  1.32 
8*        -1.668        0.66        1.54470      56.2          1.51 
9*        -1.090        0.56                                  1.81 
10*        -3.894      0.45          1.54470      56.2        2.55 
11*        2.247        0.60                                  2.97 
12          ∞          0.15        1.51630      64.1          3.52 
13          ∞                                                3.56 
非球面係数
第1面                                                        第7面
K=0.14354E+00                                              K=0.11492E+01
A4=-0.14937E-02                                          A4=-0.15511E-01
A6=-0.51668E-03                                          A6=-0.14712E-02
A8=-0.30690E-02                                          A8=0.34090E-03
A10=0.19585E-02                                          A10=0.18102E-02
A12=0.23605E-02                                          A12=0.35730E-03
A14=-0.36969E-02                                        A14=0.74345E-03
第2面                                                        第8面
K=-0.27713E+01                                            K=-0.25289E-01
A4=0.23422E-01                                            A4=-0.20414E-01
A6=-0.66611E-02                                          A6=0.21106E-01
A8=-0.12764E-02                                          A8=0.30398E-02
A10=-0.22454E-02                                        A10=-0.20563E-02
A12=-0.17472E-01                                        A12=0.33434E-03
A14=0.30397E-02                                          A14=0.14615E-03
第4面                                                        第9面
K=-0.33010E+01                                            K=-0.25566E+01
A4=-0.52646E-01                                          A4=-0.76664E-01
A6=0.61218E-01                                            A6=0.26939E-01
A8=-0.36958E-01                                          A8=-0.17333E-02
A10=-0.28962E-01                                        A10=0.94557E-04
A12=-0.19938E-01                                        A12=-0.36312E-04
A14=0.37629E-01                                          A14=-0.32167E-05
第5面                                                        第10面
K=-0.55216E+01                                            K=-0.30000E+02
A4=0.24960E-01                                            A4=-0.40555E-01
A6=0.37355E-01                                            A6=0.69364E-02
A8=-0.11583E-01                                          A8=-0.85151E-04
A10=-0.21095E-01                                        A10=-0.12705E-03
A12=-0.59217E-02                                        A12=0.22480E-04
A14=0.18585E-01                                          A14=-0.13347E-05
第6面                                                        第11面
K=-0.30000E+02                                            K=-0.12319E+02
A4=-0.30159E-01                                          A4=-0.31415E-01
A6=0.14241E-02                                            A6=0.45904E-02
A8=0.21189E-01                                            A8=-0.72751E-03
A10=0.46808E-02                                          A10=0.82796E-04
A12=0.23785E-02                                          A12=-0.61047E-05
A14=-0.31313E-02                                        A14=0.21809E-06
単レンズデータ
レンズ        始面            焦点距離(mm)
1              1                  3.443 
2              4                -4.994 
3              6                  6.262 
4              8                  4.120 
5            10                  -2.550 
【０１０３】
図２５は実施例１１のレンズの断面図である。図中、L1は第１レンズ、L2は像側面が非球面形状を有し光軸から周辺側に離れるに従って負の屈折力が弱くなる形状を持つ第２レンズ、L3は正の屈折力を有し像側に凸面を向けたメニスカス形状である第３レンズ、L4は像側面が非球面形状を有し光軸から周辺側に離れるに従って正の屈折力が弱くなる形状を持ち像側に凸面を向けたメニスカス形状である第４レンズ、L5は像側面が非球面形状であり光軸との交点以外の位置に変曲点を有する第５レンズ、Sは開口絞り、Iは撮像面を示す。また、Ｆは光学的ローパスフィルタやＩＲカットフィルタ、固体撮像素子のシールガラス等を想定した平行平板である。図２６は、実施例１１の収差図（球面収差（ａ）、非点収差（ｂ）、歪曲収差（ｃ）、メリディオナルコマ収差（ｄ））である。本実施例において、全てのレンズはプラスチック材料から形成されており、オートフォーカスやマクロ切り替え機能等での焦点位置合わせを、第１レンズから第３レンズまでを一体で移動させて行う部分群繰り出しを想定している。
【０１０４】
各条件式に対応する各実施例（表中、ｅｘ１〜１１で示す）の値を表１２に示す。
【０１０５】
【表１２】
2010224521.tif 000004
【０１０６】
ここで、プラスチック材料は温度変化時の屈折率変化が大きいため、第１レンズから第５レンズの全てをプラスチックレンズで構成すると、周囲温度が変化した際に、撮像レンズ全系の像点位置が変動してしまうという問題をかかえてしまう。
【０１０７】
そこで最近では、プラスチック材料中に無機微粒子を混合させ、プラスチック材料の温度変化を小さくできることが分かってきた。詳細に説明すると、一般に透明なプラスチック材料に微粒子を混合させると、光の散乱が生じ透過率が低下するため、光学材料として使用することは困難であったが、微粒子の大きさを透過光束の波長より小さくすることにより、散乱が実質的に発生しないようにできる。プラスチック材料は温度が上昇することにより屈折率が低下してしまうが、無機粒子は温度が上昇すると屈折率が上昇する。そこで、これらの温度依存性を利用して互いに打ち消しあうように作用させることにより、屈折率変化がほとんど生じないようにすることができる。具体的には、母材となるプラスチック材料に最大長が20ナノメートル以下の無機粒子を分散させることにより、屈折率の温度依存性のきわめて低いプラスチック材料となる。例えばアクリルに酸化ニオブ（Nb2O5）の微粒子を分散させることで、温度変化による屈折率変化を小さくすることができる。本発明において、比較的屈折力の大きな正レンズ（L1）、またはすべてのレンズ（L1〜L5）に、このような無機粒子を分散させたプラスチック材料を用いることにより、撮像レンズ全系の温度変化時の像点位置変動を小さく抑えることが可能となる。
【０１０８】
また近年、撮像装置を低コストに且つ大量に製造する方法として、予め半田がポッティングされた基板に対し、ICチップその他の電子部品と光学素子とを載置したままリフロー処理（加熱処理）し、半田を溶融させることにより電子部品と光学素子とを基板に同時実装するという技術が提案されている。
【０１０９】
このようなリフロー処理を用いて実装を行うためには、電子部品と共に光学素子を約200〜260度に加熱する必要があるが、このような高温下では熱可塑性樹脂を用いたレンズでは熱変形し或いは変色して、その光学性能が低下してしまうという問題点がある。このような問題を解決するための方法のひとつとして、耐熱性能に優れたガラスモールドレンズを使用し、小型化と高温環境での光学性能を両立する技術が提案されているが、熱可塑性樹脂を用いたレンズよりもコストが高いため、撮像装置の低コスト化の要求に応えられないという問題があった。
【０１１０】
そこで、撮像レンズの材料にエネルギー硬化性樹脂を使用することで、ポリカーボネイト系やポリオレフィン系のような熱可塑性樹脂を用いたレンズに比べ、高温に曝されたときの光学性能の低下が小さいため、リフロー処理に有効であり、かつガラスモールドレンズよりも製造しやすく安価となり、撮像レンズを組み込んだ撮像装置の低コストと量産性を両立できる。なお、エネルギー硬化性樹脂とは、熱硬化性樹脂および紫外線硬化性樹脂のいずれをも指すものとする。本発明のプラスチックレンズを前述のエネルギー硬化性樹脂も用いて形成しても良い。
【０１１１】
なお、本実施例は、固体撮像素子の撮像面に入射する光束の主光線入射角については、撮像面周辺部において必ずしも十分小さい設計になっていない。しかし、最近の技術では、固体撮像素子の色フィルタやオンチップマイクロレンズアレイの配列の見直しによって、シェーディングを軽減することができるようになってきた。具体的には撮像素子の撮像面の画素ピッチに対し、色フィルタやオンチップマイクロレンズアレイの配列のピッチをわずかに小さく設定すれば、撮像面の周辺部にいくほど各画素に対し色フィルタやオンチップマイクロレンズアレイが撮像レンズ光軸側へシフトするため、斜入射の光束を効率的に各画素の受光部に導くことができる。これにより固体撮像素子で発生するシェーディングを小さく抑えることができる。本実施例は、前記要求が緩和された分について、より小型化を目指した設計例となっている。
【産業上の利用可能性】
【０１１２】
本発明は、小型の携帯端末に好適な撮像レンズを提供できる。
【符号の説明】
【０１１３】
１０ 撮像レンズ
５０ 撮像ユニット
５１ 撮像素子
５１ａ 光電変換部
５２ 基板
５２ａ 支持平板
５２ｂ フレキシブル基板
５３ 筐体
５４ 外部接続端子
５５ 絞り部材
６０ 入力部
７０ 液晶表示部
８０ 無線通信部
９１ 記憶部
９２ 一時記憶部
１００ 携帯電話機
１０１ 制御部
ＩＰ  撮像面
ＩＳ  固体撮像素子
Ｆ 平行平板
Ｌ１〜Ｌ５ レンズ
Ｓ 開口絞り
【図１】
2010224521.tif 000005
【図２】
2010224521.tif 000006
【図３】
2010224521.tif 000007
【図４】
2010224521.tif 000008
【図５】
2010224521.tif 000009
【図６】
2010224521.tif 000010
【図７】
2010224521.tif 000011
【図８】
2010224521.tif 000012
【図９】
2010224521.tif 000013
【図１０】
2010224521.tif 000014
【図１１】
2010224521.tif 000015
【図１２】
2010224521.tif 000016
【図１３】
2010224521.tif 000017
【図１４】
2010224521.tif 000018
【図１５】
2010224521.tif 000019
【図１６】
2010224521.tif 000020
【図１７】
2010224521.tif 000021
【図１８】
2010224521.tif 000022
【図１９】
2010224521.tif 000023
【図２０】
2010224521.tif 000024
【図２１】
2010224521.tif 000025
【図２２】
2010224521.tif 000026
【図２３】
2010224521.tif 000027
【図２４】
2010224521.tif 000028
【図２５】
2010224521.tif 000029
【図２６】
2010224521.tif 000030